(57)【要約】【課題】  玄関前室に設置して訪問者の表札の存在・確認、インターホンよる通話、傘掛けなどができる新規な多機能門柱を提供する。【解決手段】  横断面形状がほぼコ字形に連続する正面パネルと左右の側面パネルとを有して内側に収容空間が設けてあり、正面パネルの上部外面には表札取付け面を有し、その表札取付け面の下側にインターホンが取付けてあり、少なくとも一方の側面パネルの外面に傘掛け具が設けてあり、玄関前室のできるだけ手前側に立設固定して用いられる。【選択図】      図１
2005171660.tif 000002
【特許請求の範囲】
【請求項１】
横断面形状がほぼコ字形に連続する正面パネルと左右の側面パネルとを有して内側に収容空間が設けてあり、前記正面パネルの上部外面には表札取付け面を有するとともに、その表札取付け面の下側にインターホンが取付けてあり、少なくとも一方の側面パネルの外面に傘掛け具が設けてあり、玄関前室のできるだけ手前側に立設固定して用いられる多機能門柱。
【請求項２】
インターホンは監視カメラ内蔵型であり、正面パネルのインターホンの上側に照明灯を設けたこと正面パネルのインターホンの上側に照明灯を設けたことを特徴とする請求項１に記載の多機能門柱。
【請求項３】
少なくとも一方の側面パネルの外面にフック係止用ネットを設けたことを特徴とする請求項１又は２に記載の多機能門柱。
【請求項４】
収容空間の上部に物掛けバーが設けてあることを特徴とする請求項１，２又は３に記載の多機能門柱。
【請求項５】
物掛けバーの両端は左右の側面パネルに接続されて、ボックスの補強材を兼ねていることを特徴とする請求項４に記載の多機能門柱。
【請求項６】
正面パネルと左右の側面パネルにパンチング孔群からなる通気孔が設けられ、任意のパンチング孔はこれにフックを引っ掛けることができるものであることを特徴とする請求項１〜５のいずれかに記載の多機能門柱。
【発明の詳細な説明】
【技術分野】
【０００１】
本発明は、集合住宅（マンション等）又は個別住宅の玄関前室に設置して用いて好適な新規な多機能門柱に関する。
【背景技術】
【０００２】
最近、集合住宅において、共有部分である通路と住宅玄関との間に当該住宅の占有部分として、その通路に連続する玄関前室を設ける例が増えている。この玄関前室を設置した場合は、玄関が通路から、従って、両側の建物外壁から１ｍ程度引っ込むことになる。個別住宅においても、敷地が狭い場合は玄関が建物外壁から１ｍ程度引っ込んで設けられて玄関前室が形成される場合がある。
【発明の開示】
【発明が解決しようとする課題】
【０００３】
このような玄関前室が設けられた場合も、従来は表札が玄関外壁に設けられている。そのため、訪問者は玄関前室に踏み込まないと表札の存在場所が判りにくく、又は、表札の文字が読みにくい場合が多い。また、インターホンも通常、ドア付近の外壁に取付けられるので、訪問者が通話する時は、同様に玄関前室に踏み込む必要がある。
しかし、玄関前室に踏み込むと、訪問者が衆人監視の可能な領域から隠れる状態になるので、防犯上好ましくない。
【０００４】
玄関内室が狭い場合は、そこには傘立てやベビーカーやショッピングカー等の場所を取る物を置きたくないので、玄関前室がある場合は玄関前室に放置されることが多い。また、玄関に隣接する庭のない集合住宅においては、玄関掃除用具などの不清潔な道具なども玄関前室に放置されると、玄関前室が乱雑になって美観を著しく損なうこととなるので、これらの置き場所に困っているのが現状である。
【０００５】
そこで、本発明は、死角になりやすい玄関前室に設置されて上記問題を一挙に解決することができる多機能門柱（以下、単に門柱という。）を提供することを目的とする。
【課題を解決するための手段】
【０００６】
上記目的を達成する本発明は、横断面形状がほぼコ字形に連続する正面パネルと左右の側面パネルとを有して内側に収容空間が設けてあり、前記正面パネルの上部外面には表札取付け面を有するとともに、その表札取付け面の下側にインターホンが取付けてあり、少なくとも一方の側面パネルの外面に傘掛け具が設けてあり、玄関前室のできるだけ手前側に立設固定して用いられることを特徴としている（請求項１）。
【０００７】
本発明の好ましい第一の実施の態様は、請求項１に記載の門柱において、インターホンは監視カメラ内蔵型であり、正面パネルのインターホンの上側に照明灯を設けたことを特徴としている（請求項２）。
【０００８】
本発明の好ましい第二の実施の態様は、少なくとも一方の側面パネルの外面にフック係止用ネットを設けたことを特徴としている（請求項３）。
【０００９】
本発明の好ましい第三の実施の態様は、収容空間の上部に物掛けバーが設けてあることを特徴としている（請求項４）。
【００１０】
本発明の好ましい第四の実施の態様は、前記物掛けバーの両端が左右の側面パネルに接続されて、門柱の補強材を兼ねていることを特徴としている（請求項５）。
【００１１】
本発明のさらに好ましい実施の態様は、正面パネルと左右の側面パネルにパンチング孔群からなる通気孔が設けられ、任意のパンチング孔はこれにフックを引っ掛けることができるものであることを特徴としている（請求項６）。
【発明の効果】
【００１２】
請求項１の発明によれば、玄関前室の手前側に立設固定して用いられるから、訪問者は玄関前室に踏み込まずに、表札の存在及び表札の文字の確認及びインターホンによる通話が可能である。収容空間にはベビーカーやショッピングカーや掃除用具などを収容できるので、これらの使用及び収納に便利である。外面に傘掛け具が設けてあるので、訪問者は濡れた傘を玄関の中に持ち込まずに掛け置くことができ、退出する時の置き忘れ防止効果が得られる。
【００１３】
請求項２の発明によれば、門柱の正面の監視カメラ内蔵インターホンの上側に照明灯を設けたので、ボックスを玄関前室に設置したことに伴ってボックスに玄関灯の光が遮られて、訪問者の顔がインターホンのモニタに写らないことが防止される。
【００１４】
請求項３の発明によれば、フック係止用ネットには、鉢植えその他の装飾品を随時任意に引っ掛けることができ、床面を占拠することなく、玄関前室の装飾が可能である。
【００１５】
請求項４の発明によれば、物掛けバーには自宅の傘や玄関掃除具を引っ掛けて保存することができ、玄関前室が乱雑になって美観が損なれることがない。
【００１６】
請求項５の発明によれば、物掛けバーが物品保管の用途と門柱の補強の用途を兼ねるので、低コストで材料の有効活用が実現される。
【００１７】
請求項６の発明によれば、通気孔により門柱の通気性が確保され、かつ、任意の位置のパンチング孔にフックを介して物を吊り下げることができ、収容空間の効率的な利用が可能である。
【発明を実施するための最良の形態】
【００１８】
次に、本発明の最良の実施の形態について図面に基づいて説明する。
図１は本発明に係る玄関前室用門柱の斜視図、図２は同左側面図、図３は正面図における中央横断面図、図４は門柱の分解斜視図、図５は門柱の設置状態を示す下部の断面図、図６は門柱の使用状態の一例を示す玄関の斜視図である。
【００１９】
本発明に係る門柱Ｂは、図１に示すように、横断面形状がほぼコ字形に連続する正面パネル１と左右の側面パネル２，３とを有して、三つのパネルの内側に収容空間４が形成されている。三つのパネル１，２，３は金属板又は強化樹脂板で一体に連続するように形成されてもよい。しかし、好ましい実施の形態においては、図１，３，４に示すように、周辺が曲げ加工された三枚のパネル体を面合わせ及びボルトナット等の締着具により一体的に接続してなっている。これにより、販売店又は倉庫から購買者の自宅玄関までの搬送時容積を最小にし、万一、いずれかのパネルの交換が必要になった場合に容易に対応することができる。
【００２０】
図４に基づいて、各パネルの構造例を詳述する。正面パネル１は、縦長方形の面部１１の上下左右の四辺に曲げ加工により起立片１２ａ，１３ａ，１４ａ，１５ａを形成して矩形枠状に連続させ、下部起立片１５ａの先端から垂直下方に曲げ加工された脚部１５ｂがさらに形成されている。これに対して、左右の側面パネル２，３は対称形に形成されているので、左の側面パネル２について説明し、右の側面パネルについては、前者の構成部材の符号を３０台の符号に置き換えるに止め、詳細な説明を省略する。
【００２１】
側面パネル２は縦長方形の面部２１の上下左右の四辺に曲げ加工により起立片２２ａ，２３ａ，２４ａ，２５ａが形成されているとともに、上部及び左右の起立片２２ａ，２３ａ，２４ａの先端から曲げ加工により内側に折り返された折り返し片２２ｂ，２３ｂ，２４ｂが形成され、起立片２２ａ〜２５ａは矩形枠状に連続し、折り返し片２２ｂ，２３ｂ，２４ｂはコ字形に連続している。これに対して、下部の起立片２５ａの先端からは曲げ加工により下方に折り返された脚部１５ｂと同様の脚部２５ｂが形成されている。正面パネル１の起立片１３ａ，１４ａ及び側面パネル２，３の折り返し片２３ｂ，２４ｂには、相互に対応する位置にボルトを挿通することができる孔ｈ１が形成されている。
【００２２】
上記構成のパネルを結合して門柱Ｂを組み立てるには、図３及び図４に示すように、正面パネル１の幅方向両端面、すなわち、起立片１３ａ，１４ａに左右の側面パネル２，３の前端部の内面、すなわち、折り返し片２３ｂ，３３ｂ又は２４ｂ，３４ｂを当接させ、左右の側面パネルの折り曲げ片２３ｂ，３３ｂの面部２１，３１側の面にナット２６を静置し、正面パネル１の起立片１３ａ，１４ａの孔ｈ１に貫通したボルト２７をそのナット２６にねじ込んで、正面パネル１と両側面パネル２，３を接続する。これにより、三つのパネルの間に背面方向及び上下方向に開口する収容空間４が形成される。また、三つのパネルの脚部１５ｂ，２５ｂ，３５ｂは横断面コ字形に連続する。
【００２３】
そして、収容空間４の上部には物掛けバー５が設けられている。物掛けバー５はその両端部を両側面パネル２，３の上端部の折り曲げ片２２ｂ，３２ｂにねじなどにより固着されることが好ましい。これにより、物掛けバー５は三つのパネルをその幅方向一端部においてボルトナットにより接続して構成されている門柱を補強して、全体をさらに堅牢にする役目を果たしている。
【００２４】
図示の例では、上述のように、正面パネルの両端面に左右の側面パネルの一端部内面を当接させて接続されているが、各パネルの形状寸法及びパネル同志の接続構造は上記の例に限定されるものではない。
【００２５】
正面パネル１には、その正面上部に表札取付け面ａが設けられ、その表札取付け面には住所又は住居番号と名字又は氏名が記入された表札を取付けることができるようになっている。表札取付け面ａの内側には内照式照明具（不図示）が設けられていることが望ましい。
【００２６】
また、表札取付け面ａの下側には、インターホン（の屋外子機）ｂが取付けられている。このインターホンｂは屋内親機との間で有線又は無線で通話可能なものである。インターホンｂが監視カメラを内蔵していて、その被写体の映像を屋内親機に設けられているモニタに送信する機能を有するものである場合は、この門柱のインターホンよりも上側に、そのインターホン使用者の少なくとも顔を照明する照明具が設けられる。これにより、夜間の訪問者がインターホンを操作した時にモニタでその訪問者を確認することができるから、既設の玄関灯の光が門柱により遮断されても不都合がない。このインターホン用照明灯は、表札取付け面ａの内側に設けた内照式照明具で兼ねることも可能である。
【００２７】
正面パネル１の正面には、新聞受け又は牛乳瓶受けｃを設けることもできる。新聞受け又は牛乳瓶受けｃに新聞又は牛乳瓶が入れられた場合に、これを検知して屋内に設けた報知手段に送信する検知器を設けることもできる。このような報知手段を設けた場合は、取り忘れ又は玄関前室への長時間放置の防止を在宅者に促し、盗難を未然に防止することができる。
【００２８】
好ましい実施の形態においては、少なくとも一方の側面パネルの外面に傘掛け具ｄが設けてある。この傘掛け具ｄは、主として訪問者が玄関の中に短時間進入する際に、濡れた傘を玄関内に持ち込まずに、門柱Ｂに掛けて置くことを可能にするためのものである。
【００２９】
本発明に係る門柱Ｂは、図６に例示するように、玄関前室Ａのできるだけ手前側に、すなわち、正面パネル１が集合住宅の通路Ｃに面する位置に一方の側面パネル（図１においては３）を壁に寄せて立設固定して用いられる。この固定方法の一例を説明すると、正面パネル１及び／又は左右の側面パネル２，３の底部の起立片１５ａ，２５ａ，３５ａの少なくとも前後２か所にアンカーボルト挿通孔ｈ２が設けられており、図５に示すように、玄関前室の床面Ｄの所要位置に立設されたアンカーボルト２８をアンカーボルト挿通孔ｈ２に挿通し、そのアンカーボルト２８にナット２９を締め付けて、門柱が固定される。図５の３０はレベル調整用ナットである。
【００３０】
上述のように、一方の側面パネルを壁に寄せて立設固定されることが多いので、傘掛け具ｄは、壁面と反対側の側面パネルに設けられる。これにより、傘掛け具ｄは、人の通行空間側に突出されるから、通行者に当たっても怪我させないような安全な形状、例えば図示の例のように円弧状に形成されていることが望ましい。
【００３１】
上記のように門柱が三つの単体のパネル１，２，３をボルトナットなどにより分離可能に接続して構成されている場合は、図４に示すように、左右の側面パネルの縦辺の折り返し片のボルト挿通孔ｈ１を左右両側に予め設けてあると、左右の側面パネルの正面パネルに対する接続位置を設置現場での壁に当接される面が左右いずれかに応じて自由に選択して組立てることができるという利点がある。
【００３２】
傘掛け具ｄを取付ける場合は、ボルトナット３６，３７により固定することとなるが、側面パネルの内面、すなわち、収容空間の内側に物掛け具ｅを備え、その物掛け具を傘掛け具ｄ固定用のボルトナット３６，３７で固定することが望ましい。これにより、傘掛け具ｄと物掛け具ｅの取付強度が互いに強化される相乗効果が得られる。このもの掛け具ｆには、玄関掃除具、ステッキ、家内用傘などを整理整頓した態様で掛けて置くことができるので、便利である。
【００３３】
傘掛け具ｄが設けられている側面パネルには、その傘掛け具ｄよりも上側にフックを引っ掛けることができるフック係止用ネットｆが取付けられている。このフック係止用ネットｆは、これに花や木を植えた鉢又はフラワデザインその他の飾物を吊したフックを交換可能に引っ掛けることができるものである。このようなフック係止用ネットｆを備えることにより、門柱を玄関前室に設置したことにより狭隘化して玄関前室の床面に置けなくなった鉢物などによる玄関装飾を維持し、あるいは、従来できなかった玄関装飾が新たに可能になる。
【００３４】
さらに本発明に係る門柱は、正面パネル１及び側面パネル２，３の少なくとも一つに、パンチング孔群ｇをパネルの下部から上部に掛けて連続する又は断続する帯状に設けられている。このパンチング孔群ｇは、玄関前室に設置された場合に収容空間４に空気が滞留することを防止するための通気孔を形成する。従って、３面のパネルの少なくとも上下に設けられることがよい。また、パンチング孔には、任意の位置において収容空間側から小物を吊り下げた既知のフックを引っ掛けることができることが望ましい。
【００３５】
図６は上述した多機能を有する門柱Ｂが玄関前室Ａに設置されて使用されている状態を示している。図６から判るように、ベビーカーやショッピングカーや掃除具やステッキや家内用傘などがキチンと収容されて外部に露見されないので、玄関前室が乱雑になることが有効に防止されて美観が保たれるばかりでなく、フック係止用ネットを利用して玄関前室に従来にない装飾効果を付加することができる。
【００３６】
マンションにおいては、通常、建物駆体に任意の設備機器の増設や改造が禁止されている場合が少なくないが、本発明の門柱はいわばオールインワンの多機能門柱であるから、本発明によれば、建物駆体には一切の施工をすることなく、所望の表札、インターホン等の設置ができ、かつ、物置の機能を増設することができる。
【産業上の利用可能性】
【００３７】
上にはマンションなどの集合住宅の玄関前室に適用した例について説明したが、本発明による多機能門柱は、個別住宅、会社事務所などの玄関前室にも広く使用することができる。
【図面の簡単な説明】
【００３８】
【図１】本発明に係る門柱の斜視図。
【図２】同じく左側面図。
【図３】正面図における中央横断面図。
【図４】門柱の分解斜視図。
【図５】門柱の設置状態を示す下部の断面図。
【図６】門柱の使用状態の一例を示す玄関の斜視図。
【符号の説明】
【００３９】
Ａ    玄関前室
Ｂ    門柱
１    正面パネル
２    側面パネル
３    側面パネル
４    収容空間
５    物掛けバー
ａ    表札取付け面
ｂ    インターホン
ｃ    新聞受け又は牛乳受け
ｄ    傘掛け具
ｅ    物掛け具
ｆ    フック係止用ネット
ｇ    通気孔
Ｃ    通路
【図１】
2005171660.tif 000003
【図２】
2005171660.tif 000004
【図３】
2005171660.tif 000005
【図４】
2005171660.tif 000006
【図５】
2005171660.tif 000007
【図６】
2005171660.tif 000008